(57)【要約】      （修正有）【課題】潜水作業員などが海中でグローブなどの保護具を装着したまま、装置の電源スイッチをオン又はオフ操作することを可とする鮫襲撃回避装置を提供する。【解決手段】水中土木作業時における鮫襲撃回避装置は、本体ケース１と、この本体ケースの外周面に互いに離間して設けた、一方の電界発生用電極部１１と他方の電界発生用電極部１２と、上記本体ケースの一端に設けたオン・オフスイッチ部２１と、上記本体ケースの一端に装着した蓋体３とよりなり、上記蓋体を押圧することにより、上記スイッチ部をスイッチオンとして、上記蓋体を回動することにより、スイッチオン状態を維持させる。【選択図】図２
0003169038.tif 000002
【実用新案登録請求の範囲】
【請求項１】
電池が挿入される本体ケースと、
この本体ケースの外周面に互いに離間して設けた、一方の電界発生用電極部と他方の電界発生用電極部と、
上記本体ケースに設けた常時スイッチオフのオン・オフスイッチ部と、
上記本体ケースに設けた、上記オン・オフスイッチ部をスイッチオンとするスイッチオン手段と、
上記オン・オフスイッチ部のスイッチオン状態を維持するオン維持手段と、
上記本体ケースに挿入される電池の一方の電池電極部と上記一方の電界発生用電極部とを電気的に接続する配線手段と、
上記電池の他方の電池電極部と上記他方の電界発生用電極部とを上記オン・オフスイッチ部を介して電気的に接続する他方の配線手段と
よりなることを特徴とする水中土木作業時における鮫襲撃回避装置。
【請求項２】
上記オン・オフスイッチ部は、上記本体ケースの一端に設けられ、上記本体ケースから突出した状態ではスイッチオフとなり、所望量以上押圧された状態ではスイッチオンとするボタン部と、上記ボタン部を常時突出するように押圧する押圧手段とよりなり、
上記スイッチオン手段は、上記本体ケースの一端に設けられ、上記ボタン部を所望量以上押圧して上記オン・オフスイッチ部をスイッチオンとする蓋体よりなり、
上記オン維持手段は、上記本体ケースの外周面と上記蓋体の内周面とのいずれか一方に設けた、上記押圧方向と交差する方向に設けられた溝と、上記本体ケースの外周面と上記蓋体の内周面のいずれか他方に設けた、上記溝に係合する凸部とよりなることを特徴とする請求項１記載の水中土木作業時における鮫襲撃回避装置。
【請求項３】
上記オン・オフスイッチ部は、上記本体ケースの一端に設けられ、上記本体ケースから突出した状態ではスイッチオフとなり、所望量以上押圧された状態ではスイッチオンとするボタン部と、上記ボタン部を常時突出するように押圧する押圧手段とよりなり、
上記スイッチオン手段は、上記本体ケースの一端に設けられ、上記ボタン部を所望量以上押圧して上記オン・オフスイッチ部をスイッチオンとする蓋体よりなり、この蓋体は、上記本体ケースの軸方向に移動自在であると共に、上記本体ケースの軸周りに回動自在であり、
上記オン維持手段は、上記本体ケースの一端の外周面と上記蓋体の内周面とのいずれか一方に設けた軸方向に延びる軸方向溝と、この軸方向溝の他端に連なる、軸周りに延びる軸周方向溝と、この軸周方向溝の他端に連なる、軸方向において一端側に延びる軸周方向移動阻止溝とよりなるガイド溝と、
上記本体ケースの一端の外周面と上記蓋体の内周面とのいずれか他方に設けた、上記ガイド溝に係合する凸部とよりなることを特徴とする請求項１記載の水中土木作業時における鮫襲撃回避装置。
【請求項４】
上記一方の電界発生用電極部と他方の電界発生用電極部は、上記本体ケースの軸方向に離間して設けられていることを特徴とする請求項１、２または３記載の水中土木作業時における鮫襲撃回避装置。
【請求項５】
上記本体ケースの外周面に設けたＬＥＤよりなる発光部と、上記他方の電池電極部と上記他方の電界発生用電極部とが電気的に接続した場合に上記発光部を発光させる発光手段とよりなることを特徴とする請求項１、２、３または４記載の水中土木作業時における鮫襲撃回避装置。
【請求項６】
上記本体ケースの外周面には取付用バンドが設けられ、この取付用バンドは上記電界発生用電極部の反対側の外周面に設けられていることを特徴とする請求項４または５記載の水中土木作業時における鮫襲撃回避装置。
【考案の詳細な説明】
【技術分野】
【０００１】
本考案は、水中土木作業時における鮫襲撃回避装置、特に、潜水作業員が水中土木作業を行う際、鮫からの襲撃を回避する装置に関するものである。
【背景技術】
【０００２】
乾電池を海中に入れると、上記乾電池の陽極と陰極間に微弱電流が流れ、その周囲に電界が生ずる。そして、この電界は、鮫にとって耐え難い刺激となるため、むき出しのままの乾電池を衣服や器具に装着して、海中で土木作業やマリンスポーツを行う場合がある（引用文献１）。
【０００３】
また、サーフボードの裏面に電界発生用電極を設けて、サーフィン中に鮫の襲撃を回避する装置がある（引用文献２）。
【先行技術文献】
【特許文献】
【０００４】
【特許文献１】実用新案登録第３１３０２０７号公報
【特許文献２】特開２００８−４４５９１号公報
【考案の概要】
【考案が解決しようとする課題】
【０００５】
しかしながら、従来のむき出しのままの乾電池を衣服や器具に装着するものは、直ぐに放電してしまい、長時間の使用ができないという欠点があった。
【０００６】
また、潜水作業員などはグローブなどの保護具を着用しているので、指先での細かい機器操作が出来ず、海中で、従来の鮫からの襲撃を回避する装置の電源スイッチをオン又はオフ操作するのは困難であった。
【０００７】
また、バッテリー部とスイッチ部が独立しているものでは、その間のケーブルが必要で、潜水作業員などの作業性が落ちるという欠点があった。
【０００８】
本考案は、上記の欠点を除くようにしたものである。
【課題を解決するための手段】
【０００９】
本考案の水中土木作業時における鮫襲撃回避装置は、電池が挿入される本体ケースと、この本体ケースの外周面に互いに離間して設けた、一方の電界発生用電極部と他方の電界発生用電極部と、上記本体ケースに設けた常時スイッチオフのオン・オフスイッチ部と、上記本体ケースに設けた、上記オン・オフスイッチ部をスイッチオンとするスイッチオン手段と、上記オン・オフスイッチ部のスイッチオン状態を維持するオン維持手段と、上記本体ケースに挿入される電池の一方の電池電極部と上記一方の電界発生用電極部とを電気的に接続する配線手段と、上記電池の他方の電池電極部と上記他方の電界発生用電極部とを上記オン・オフスイッチ部を介して電気的に接続する他方の配線手段とよりなることを特徴とする。
【００１０】
また、上記オン・オフスイッチ部は、上記本体ケースの一端に設けられ、上記本体ケースから突出した状態ではスイッチオフとなり、所望量以上押圧された状態ではスイッチオンとするボタン部と、上記ボタン部を常時突出するように押圧する押圧手段とよりなり、上記スイッチオン手段は、上記本体ケースの一端に設けられ、上記ボタン部を所望量以上押圧して上記オン・オフスイッチ部をスイッチオンとする蓋体よりなり、上記オン維持手段は、上記本体ケースの外周面と上記蓋体の内周面とのいずれか一方に設けた、上記押圧方向と交差する方向に設けられた溝と、上記本体ケースの外周面と上記蓋体の内周面のいずれか他方に設けた、上記溝に係合する凸部とよりなることを特徴とする。
【００１１】
また、上記オン・オフスイッチ部は、上記本体ケースの一端に設けられ、上記本体ケースから突出した状態ではスイッチオフとなり、所望量以上押圧された状態ではスイッチオンとするボタン部と、上記ボタン部を常時突出するように押圧する押圧手段とよりなり、上記スイッチオン手段は、上記本体ケースの一端に設けられ、上記ボタン部を所望量以上押圧して上記オン・オフスイッチ部をスイッチオンとする蓋体よりなり、この蓋体は、上記本体ケースの軸方向に移動自在であると共に、上記本体ケースの軸周りに回動自在であり、上記オン維持手段は、上記本体ケースの一端の外周面と上記蓋体の内周面とのいずれか一方に設けた軸方向に延びる軸方向溝と、この軸方向溝の他端に連なる、軸周りに延びる軸周方向溝と、この軸周方向溝の他端に連なる、軸方向において一端側に延びる軸周方向移動阻止溝とよりなるガイド溝と、上記本体ケースの一端の外周面と上記蓋体の内周面とのいずれか他方に設けた、上記ガイド溝に係合する凸部とよりなることを特徴とする。
【００１２】
また、上記一方の電界発生用電極部と他方の電界発生用電極部は、上記本体ケースの軸方向に離間して設けられていることを特徴とする。
【００１３】
また、上記本体ケースの外周面に設けたＬＥＤよりなる発光部と、上記他方の電池電極部と上記他方の電界発生用電極部とが電気的に接続した場合に上記発光部を発光させる発光手段とよりなることを特徴とする。
【００１４】
また、上記本体ケースの外周面には取付用バンドが設けられ、この取付用バンドは上記電界発生用電極部の反対側の外周面に設けられていることを特徴とする。
【考案の効果】
【００１５】
本考案の水中土木作業における鮫襲撃回避装置においては、鮫襲撃回避装置のオン・オフスイッチ部のスイッチオン又はスイッチオフ操作が、上記本体ケースに対する上記蓋体の軸方向の移動及び回転のみで操作できるので、グローブなどの保護具を装着した状態においても、上記装置のスイッチオン又はスイッチオフ操作を確実に出来るという大きな利益がある。
【００１６】
また、鮫襲撃回避装置がスイッチオンの時には、ＬＥＤよりなる発光部が発光するので、光量が多く、水中でも、装置のスイッチオン状態を確認することができる。
【図面の簡単な説明】
【００１７】
【図１】本考案の水中土木作業時における鮫襲撃回避装置の斜視図である。
【図２】本考案の水中土木作業時における鮫襲撃回避装置の縦断側面図である。
【図３】本考案の水中土木作業時における鮫襲撃回避装置の分解縦断側面図である。
【図４】図３のＡ−Ａ断面図である。
【図５】図３のＢ−Ｂ断面図である。
【図６】図３のＣ−Ｃ断面図である。
【図７】本考案の水中土木作業時における鮫襲撃回避装置のオフ状態の回路図を示す。
【図８】本考案の水中土木作業時における鮫襲撃回避装置の使用状態説明用の斜視図である。
【図９】本考案の水中土木作業時における鮫襲撃回避装置の使用状態説明用の縦断側面図である。
【図１０】本考案の水中土木作業時における鮫襲撃回避装置の使用状態説明用の斜視図である。
【図１１】本考案の水中土木作業時における鮫襲撃回避装置の使用状態説明用の縦断側面図である。
【考案を実施するための形態】
【００１８】
以下、図面によって本考案の実施例を説明する。
【実施例１】
【００１９】
図１〜図６は、本考案の水中土木作業時における鮫襲撃回避装置を示し、１は、乾電池が挿入される円筒状の有底本体ケースを示し、２は、上記本体ケース１の一端に水密に装着される円筒状の中蓋体を示し、３は、上記中蓋体２の一端に装着される円筒状の外蓋体を示す。
【００２０】
まず、上記本体ケース１について説明する。
【００２１】
上記本体ケース１は、例えば、合成樹脂製の絶縁性部材からなり、上記本体ケース１の筒内部１ａは、複数の乾電池４が直列に挿入されるように形成されている。
【００２２】
また、上記本体ケース１の上端面１ｂには、円筒状の首部５が設けられ、この首部５の外周面には、上記中蓋体２の内周面に形成された一方のネジ部６に螺合される他方のネジ部７が形成されている。
【００２３】
また、上記筒内部１ａの底部８には、上記乾電池４の一方の電池電極部４ａが接するコイルバネ状の金属などの導電性のある一方の接続部９が設けられている。また、上記筒内部１ａの内周面には、円筒状に形成された導電性のある他方の接続部１０が設けられていると共に、上記他方の接続部１０は、上記筒内部１ａの開口縁部より上方に突出して設けられている。なお、上記一方の接続部９は、上記他方の接続部１０に電気的に接触しないように形成されている。
【００２４】
また、上記本体ケース１の外周面の一側には、軸方向に離間して設けた、例えば、ステンレス製の露出した一方の電界発生用電極部１１及び他方の電界発生用電極部１２が設けられ、上記一方の電界発生用電極部１１は上記一方の接続部９と配線１３を介して電気的に接続され、また、上記他方の電界発生用電極部１２は上記他方の接続部１０と配線１４を介して電気的に接続されている。
【００２５】
また、上記本体ケース１の外周面の上記一方の電界発生用電極部１１と上記他方の電界発生用電極部１２との間に、ＬＥＤ等よりなる発光部１５が設けられ、上記発光部１５の一方及び他方の電源端子はそれぞれ上記配線１３、１４にそれぞれ配線１６、１７を介して接続されている。なお１６ａは上記配線１６に設けられた抵抗である。
【００２６】
なお、１１ａ、１２ａは、それぞれ上記本体ケース１と上記電界発生用電極部１１、１２との間に設けられた止水モールド材である。
【００２７】
また、上記本体ケース１には、例えば、密封空間部１８が設けられ、この密封空間部１８内の空気により、上記本体ケース１の浮力調整がなされる。
【００２８】
また、上記本体ケース１の外周面の他側面には、衣服や器具等に取り付けるための取付用バンドが設けられている。
【００２９】
また、上記本体ケース１に電流値調整用の回路（図示せず）を設けてもよい。
【００３０】
次に、上記中蓋体２を説明する。
【００３１】
上記中蓋体２は、上記本体ケース１の一端に止水リング２０を介して、水密に装着され、上記中蓋体２にはオン・オフスイッチ部２１が設けられている。
【００３２】
上記スイッチ部２１は、上記中蓋体２の天井部２ａの中央部に設けた貫通孔２２と、上記中蓋体２の貫通孔２２の下端縁部を塞ぐ、金属などの導電性のある円盤状板材２３と、上記貫通孔２２に挿入された金属などの導電性のあるボタン部２４と、上端が上記ボタン部２４の下端に固定され、下端が上記円盤状板材２３の貫通孔２５を貫通する金属などの導電性のあるロッド部２６と、上記ロッド部２６の下端に固定された、金属などの導電性のある抜け止め部２７と、上記ボタン部２４と上記板材２３間の上記ロッド部２６に挿入された金属などの導電性のある圧縮コイルバネよりなる押圧手段２８と、上記中蓋体２の天井部２ａの上面に設けた、上記貫通孔２２を水密に塞ぐ可撓性シート２９とよりなり、上記ボタン部２４は上記押圧手段２８の押圧力により常時、上記中蓋体２の上面よりも上方に突出するように形成されている。そして、上記ボタン部２４が下方に所望量以上押圧されたときは、上記ボタン部２４は上記押圧手段２８の押圧力に抗して、下方に移動して、上記抜け止め部２７が、上記乾電池４の他方の電池電極部４ｂに接触するように構成されている。
【００３３】
また、上記中蓋体２の上部の外周面の一側面及び他側面には、それぞれ上記後述する上記外蓋体３の内周面に設けた凸部３０が係合されるガイド溝３１を有し、このガイド溝３１は、軸方向に延びる軸方向溝３２と、この軸方向溝３２の他端から軸周りに延びる軸周方向溝３３と、この軸周方向溝３３の他端から、軸方向の一端側に向かって僅かに延びる、軸周方向移動阻止溝３４とよりなる。
【００３４】
次に、上記外蓋体３を説明する。
【００３５】
上記外蓋体３の内周面には、上述したように、上記ガイド溝３１に係合する凸部３０を有し、上記凸部３０がガイド溝３１に沿って移動することにより、上記中蓋体２に装着された上記外蓋体３が上記中蓋体２に対して、軸方向に移動して、また、軸周りに回動するようになる。
【００３６】
なお、上記凸部３０は上記ガイド溝３１内に係合さているので、上記中蓋体２から上記外蓋体３が外れるようなことはない。
【００３７】
次に、本考案の水中土木作業時における鮫襲撃回避装置の使用方法を説明する。
【００３８】
図１に示すように、上記外蓋体３の凸部３０を上記ガイド溝３１の軸方向溝３２の一端側に位置させて、上記中蓋体３により、上記ボタン部２４が上記押圧手段２８に抗して、押圧されないようにする。
【００３９】
次に、上記本体ケース１から、上記中蓋体２を外し、上記本体ケース１の筒内部１ａに複数本の乾電池４を直列に挿入し、そして、上記本体ケース１の一端に上記中蓋体２を水密に装着する。
【００４０】
この状態では、図２に示すように、上記スイッチ部２１の抜け止め部２７が上記中蓋体２の一端側に位置し、上記抜け止め部２７が、上記乾電池４の他方の電池電極部４ｂに接せず、図７に示すように、上記他方の電池電極部４ｂと上記他方の接続部１０とは電気的に接続されない。
【００４１】
次に、図８及び図９に示すように、上記外蓋体３の凸部３０を、上記ガイド溝３１の軸方向溝３２の一端から他端に移動させ、そして、上記ガイド溝３１の軸周方向溝３３の一端から他端に移動させ、更に、図１０及び図１１に示すように、上記軸周方向移動阻止溝３４の一端から他端に移動させれば、上記外蓋体３により上記スイッチ部２１のボタン部２４が上記本体ケース１の他端側に所望量以上押圧され、上記スイッチ部２１の抜け止め部２７が上記乾電池４の他方の電池電極部４ｂに接続する。これにより、上記乾電池４の一方の電池電極部４ｂは、導電性のある抜け止め部２７、ロッド部２６、ボタン部２４、押圧手段２８、板材２３を介して、図１１に示すように、上記他方の接続部１０と電気的に接続されるようになる。
【００４２】
また、上記凸部３０は上記軸周方向移動阻止溝３４の他端に位置するので、上記凸部３０の移動が阻止されて、上記凸部３０が上記軸周方向溝３３に戻るようなことはない。
【００４３】
また、上記発光部１５が通電して点灯するようになる。
【００４４】
これにより、潜水作業員などが上記鮫襲撃回避装置を装着して海中にもぐれば、上記一方及び他方の電界発生用電極部間に電界が形成され、鮫の攻撃から回避することができるようになる。
【００４５】
本考案の水中土木作業における鮫襲撃回避装置においては、鮫襲撃回避装置のスイッチオン又はスイッチオフ操作が、上位本体ケース１に対する上記外蓋体３の軸方向の移動及び回転のみで操作できるので、グローブなどの保護具を装着した状態においても、上記装置のスイッチオン又はスイッチオフ操作を確実に出来るという大きな利益がある。
【００４６】
また、鮫襲撃回避装置がスイッチオンの時には、ＬＥＤよりなる発光部が発光するので、光量が多く、水中でも、装置のスイッチオン状態を確認することができる。また、ＬＥＤは、電池の電圧が所望値以下になると消灯するので、電池の消耗を確実に潜水作業員に知らせることができる。
【符号の説明】
【００４７】
１    本体ケース
１ａ  筒内部
１ｂ  上端面
２    中蓋体
２ａ  天井部
３    外蓋体
４    乾電池
４ａ  一方の電池電極部
４ｂ  他方の電池電極部
５    首部
６    一方のネジ部
７    他方のネジ部
８    底部
９    一方の接続部
１０    他方の接続部
１１    一方の電界発生用電極部
１２    他方の電界発生用電極部
１３    配線
１４    配線
１５    発光部
１６    配線
１６ａ  抵抗
１７    配線
１８    密封空間部
１９    取付用バンド
２０    止水リング
２１    スイッチ部
２２    貫通孔
２３    円盤状板材
２４    ボタン部
２５    貫通孔
２６    ロッド部
２７    抜け止め部
２８    押圧手段
２９    シート
３０    凸部
３１    ガイド溝
３２    軸方向溝
３３    軸周方向溝
３４    軸周方向移動阻止溝
【図１】
0003169038.tif 000003
【図２】
0003169038.tif 000004
【図３】
0003169038.tif 000005
【図４】
0003169038.tif 000006
【図５】
0003169038.tif 000007
【図６】
0003169038.tif 000008
【図７】
0003169038.tif 000009
【図８】
0003169038.tif 000010
【図９】
0003169038.tif 000011
【図１０】
0003169038.tif 000012
【図１１】
0003169038.tif 000013
【手続補正書】
【提出日】平成23年5月12日(2011.5.12)
【手続補正１】
【補正対象書類名】実用新案登録請求の範囲
【補正対象項目名】全文
【補正方法】変更
【補正の内容】
【実用新案登録請求の範囲】
【請求項１】
電池が挿入される本体ケースと、
この本体ケースの外周面に互いに離間して設けた、一方の電界発生用電極部と他方の電界発生用電極部と、
上記本体ケースに設けた常時スイッチオフのオン・オフスイッチ部と、
上記本体ケースに設けた、上記オン・オフスイッチ部をスイッチオンとするスイッチオン手段と、
上記オン・オフスイッチ部のスイッチオン状態を維持するオン維持手段と、
上記本体ケースに挿入される電池の一方の電池電極部と上記一方の電界発生用電極部とを電気的に接続する配線手段と、
上記電池の他方の電池電極部と上記他方の電界発生用電極部とを上記オン・オフスイッチ部を介して電気的に接続する他方の配線手段と
よりなることを特徴とする鮫襲撃回避装置。
【請求項２】
上記オン・オフスイッチ部は、上記本体ケースの一端に設けられ、上記本体ケースから突出した状態ではスイッチオフとなり、所望量以上押圧された状態ではスイッチオンとするボタン部と、上記ボタン部を常時突出するように押圧する押圧手段とよりなり、
上記スイッチオン手段は、上記本体ケースの一端に設けられ、上記ボタン部を所望量以上押圧して上記オン・オフスイッチ部をスイッチオンとする蓋体よりなり、
上記オン維持手段は、上記本体ケースの外周面と上記蓋体の内周面とのいずれか一方に設けた、上記押圧方向と交差する方向に設けられた溝と、上記本体ケースの外周面と上記蓋体の内周面のいずれか他方に設けた、上記溝に係合する凸部とよりなることを特徴とする請求項１記載の鮫襲撃回避装置。
【請求項３】
上記オン・オフスイッチ部は、上記本体ケースの一端に設けられ、上記本体ケースから突出した状態ではスイッチオフとなり、所望量以上押圧された状態ではスイッチオンとするボタン部と、上記ボタン部を常時突出するように押圧する押圧手段とよりなり、
上記スイッチオン手段は、上記本体ケースの一端に設けられ、上記ボタン部を所望量以上押圧して上記オン・オフスイッチ部をスイッチオンとする蓋体よりなり、この蓋体は、上記本体ケースの軸方向に移動自在であると共に、上記本体ケースの軸周りに回動自在であり、
上記オン維持手段は、上記本体ケースの一端の外周面と上記蓋体の内周面とのいずれか一方に設けた軸方向に延びる軸方向溝と、この軸方向溝の他端に連なる、軸周りに延びる軸周方向溝と、この軸周方向溝の他端に連なる、軸方向において一端側に延びる軸周方向移動阻止溝とよりなるガイド溝と、
上記本体ケースの一端の外周面と上記蓋体の内周面とのいずれか他方に設けた、上記ガイド溝に係合する凸部とよりなることを特徴とする請求項１記載の鮫襲撃回避装置。
【請求項４】
上記一方の電界発生用電極部と他方の電界発生用電極部は、上記本体ケースの軸方向に離間して設けられていることを特徴とする請求項１、２または３記載の鮫襲撃回避装置。
【請求項５】
上記本体ケースの外周面に設けたＬＥＤよりなる発光部と、上記他方の電池電極部と上記他方の電界発生用電極部とが電気的に接続した場合に上記発光部を発光させる発光手段とよりなることを特徴とする請求項１、２、３または４記載の鮫襲撃回避装置。
【請求項６】
上記本体ケースの外周面には取付用バンドが設けられ、この取付用バンドは上記電界発生用電極部の反対側の外周面に設けられていることを特徴とする請求項４または５記載の鮫襲撃回避装置。
【手続補正２】
【補正対象書類名】明細書
【補正対象項目名】０００１
【補正方法】変更
【補正の内容】
【０００１】
本考案は、鮫襲撃回避装置、特に、水中作業を行う際やマリンスポーツを行う際に、鮫からの襲撃を回避する装置に関するものである。
【手続補正３】
【補正対象書類名】明細書
【補正対象項目名】０００９
【補正方法】変更
【補正の内容】
【０００９】
本考案の鮫襲撃回避装置は、電池が挿入される本体ケースと、この本体ケースの外周面に互いに離間して設けた、一方の電界発生用電極部と他方の電界発生用電極部と、上記本体ケースに設けた常時スイッチオフのオン・オフスイッチ部と、上記本体ケースに設けた、上記オン・オフスイッチ部をスイッチオンとするスイッチオン手段と、上記オン・オフスイッチ部のスイッチオン状態を維持するオン維持手段と、上記本体ケースに挿入される電池の一方の電池電極部と上記一方の電界発生用電極部とを電気的に接続する配線手段と、上記電池の他方の電池電極部と上記他方の電界発生用電極部とを上記オン・オフスイッチ部を介して電気的に接続する他方の配線手段とよりなることを特徴とする。
【手続補正４】
【補正対象書類名】明細書
【補正対象項目名】００１５
【補正方法】変更
【補正の内容】
【００１５】
本考案の鮫襲撃回避装置においては、鮫襲撃回避装置のオン・オフスイッチ部のスイッチオン又はスイッチオフ操作が、上記本体ケースに対する上記蓋体の軸方向の移動及び回転のみで操作できるので、グローブなどの保護具を装着した状態においても、上記装置のスイッチオン又はスイッチオフ操作を確実に出来るという大きな利益がある。
【手続補正５】
【補正対象書類名】明細書
【補正対象項目名】００１７
【補正方法】変更
【補正の内容】
【００１７】
【図１】本考案の鮫襲撃回避装置の斜視図である。
【図２】本考案の鮫襲撃回避装置の縦断側面図である。
【図３】本考案の鮫襲撃回避装置の分解縦断側面図である。
【図４】図３のＡ−Ａ断面図である。
【図５】図３のＢ−Ｂ断面図である。
【図６】図３のＣ−Ｃ断面図である。
【図７】本考案の鮫襲撃回避装置のオフ状態の回路図を示す。
【図８】本考案の鮫襲撃回避装置の使用状態説明用の斜視図である。
【図９】本考案の鮫襲撃回避装置の使用状態説明用の縦断側面図である。
【図１０】本考案の鮫襲撃回避装置の使用状態説明用の斜視図である。
【図１１】本考案の鮫襲撃回避装置の使用状態説明用の縦断側面図である。
【手続補正６】
【補正対象書類名】明細書
【補正対象項目名】００１９
【補正方法】変更
【補正の内容】
【００１９】
図１〜図６は、本考案の鮫襲撃回避装置を示し、１は、乾電池が挿入される円筒状の有底本体ケースを示し、２は、上記本体ケース１の一端に水密に装着される円筒状の中蓋体を示し、３は、上記中蓋体２の一端に装着される円筒状の外蓋体を示す。
【手続補正７】
【補正対象書類名】明細書
【補正対象項目名】００３７
【補正方法】変更
【補正の内容】
【００３７】
次に、本考案の鮫襲撃回避装置の使用方法を説明する。
【手続補正８】
【補正対象書類名】明細書
【補正対象項目名】００４５
【補正方法】変更
【補正の内容】
【００４５】
本考案の鮫襲撃回避装置においては、鮫襲撃回避装置のスイッチオン又はスイッチオフ操作が、上位本体ケース１に対する上記外蓋体３の軸方向の移動及び回転のみで操作できるので、グローブなどの保護具を装着した状態においても、上記装置のスイッチオン又はスイッチオフ操作を確実に出来るという大きな利益がある。